(57)【要約】【課題】プラスチック成型部品の外面にひけを発生させることなく、固定部の強度を向上させるプラスチック成型部品の固定部構造およびこれを備えた加湿装置を提供すること。【解決手段】プラスチック成型部品である送風側天面１ｅの内面側に設けた固定部２０は、筒形状の脚部２１と、この脚部２１の先端の開口を塞ぐ底板部２２と、この底板部２２からねじ穴２４を有するボス部２３とからなり、脚部２１の一方側の筒面には開口２６を有し、脚部２１の他方側の筒面側には、脚部２１とボス部２３と底板部２２と送風側天面１ｅとを連結する複数の板形状の第１の補強部２７を設け、この第１の補強部２７と送風側天面１ｅと脚部２１と底板部２２とボス部２３とを一体で成型しているので、脚部２１の板厚を送風側天面１ｅの外面にひけが発生しない程度に小さくしても、板形状の第１の補強部２７により固定部の強度を向上させことができる。【選択図】図４
2014046539.tif 000002
【特許請求の範囲】
【請求項１】
プラスチック成型部品と、このプラスチック成型部品の内面側に設けた固定部とからなり、この固定部は、前記プラスチック成型部品の内面から前記プラスチック成型部品の内面に対して垂直方向に伸びた筒形状の脚部と、この脚部の先端の開口を塞ぐ底板部と、この底板部から前記プラスチック成型部品の内面に対して垂直方向に伸びるねじ穴を有するボス部とからなり、前記脚部の一方側の筒面には開口を有し、前記脚部の他方側の筒面側には、前記脚部と前記ボス部と前記底板部と前記プラスチック成型部品とを連結する複数の板形状の第１の補強部を設け、この第１補強部と前記プラスチック成型部品と前記脚部と前記底板部と前記ボス部とを一体で成型したことを特徴とするプラスチック成型部品の固定部構造。
【請求項２】
前記第１の補強部の他方側の複数の端部と、前記プラスチック成型部品とを連結する第２の補強部を設け、前記第１の補強部と前記第２の補強部と前記プラスチック成型部品と前記脚部と前記底板部と前記ボス部とを一体で成型したことを特徴とする請求項１に記載のプラスチック成型部品の固定部構造。
【請求項３】
前記第１の補強部と前記第２の補強部は、前記プラスチック成型部品における一方側が開口した水平断面がコ字形状であることを特徴とする請求項１に記載のプラスチック成型部品の固定部構造。
【請求項４】
前記プラスチック成型部品における他方側の前記ボス部と前記脚部との外面は同一面であることを特徴とする請求項１から３のいずれかに記載のプラスチック成型部品の固定部構造。
【請求項５】
吸込口と吹出口を有する本体ケースと、この本体ケース内に設けられた加湿手段と、前記吸込口から前記加湿手段を介し、前記吹出口へ空気を送風する送風手段と、前記本体ケースに着脱自在な給水タンクと、前記本体ケースの天面に請求項１から請求項４のいずれかに記載のプラスチック成型部品のボス構造を備えた天面パネルとからなり、この天面パネルは、前記本体ケースにおける他方側にねじによって前記ボス部が前記本体ケースに固定され、前記給水タンクは、前記本体ケースにおける一方側の天面から着脱自在な構成とした加湿装置。
【発明の詳細な説明】
【技術分野】
【０００１】
本発明は、プラスチック成型部品の固定部構造およびこれを備えた加湿装置に関するものである。
【背景技術】
【０００２】
従来、この種のプラスチック成型部品の固定部構造は、プラスチック成型部品と、このプラスチック成型部品の内面側に設けた固定部とからなり、この固定部は、プラスチック成型部品の内面からプラスチック成型部品の内面に対して垂直方向に伸びた筒形状の脚部と、この脚部の先端の開口を塞ぐ底板部と、この底板部からプラスチック成型部品の内面に対して垂直方向に伸びるねじ穴を有するボス部とからなり、脚部の一方側の筒面には開口を有し、脚部の一部はプラスチック成型部品の側壁面よりなり、プラスチック成型部品と脚部と前記底板部とボス部とを一体で成型したものが知られている（例えば、特許文献１参照）。
【先行技術文献】
【特許文献】
【０００３】
【特許文献１】特開平０７−１１２４５４号公報
【発明の概要】
【発明が解決しようとする課題】
【０００４】
このような特許文献１に記載のプラスチック成型部品の固定部構造では、脚部の一部がプラスチック成型部品の側壁面により形成されているので、プラスチック成型部品の側壁面にしか設けることができない。
【０００５】
ここで、脚部をプラスチック成型部品の側壁面から離すと、脚部の強度が低下する。ここで、脚部の強度を向上させる為に、脚部の板厚を大きくすると、プラスチック成型部品の外面にひけが発生するものである。
【０００６】
そこで、本発明は、プラスチック成型部品の外面にひけを発生させることなく、固定部の強度を向上させた、プラスチック成型部品の固定部の構造およびこれを備えた加湿装置を提供することを目的とする。
【課題を解決するための手段】
【０００７】
そして、この目的を達成するために、本発明のプラスチック成型部品の固定部構造は、
プラスチック成型部品と、このプラスチック成型部品の内面側に設けた固定部とからなり、
この固定部は、前記プラスチック成型部品の内面から前記プラスチック成型部品の内面に対して垂直方向に伸びた筒形状の脚部と、この脚部の先端の開口を塞ぐ底板部と、この底板部から前記プラスチック成型部品の内面に対して垂直方向に伸びるねじ穴を有するボス部とからなり、前記脚部の一方側の筒面には開口を有し、前記脚部の他方側の筒面側には、
前記脚部と前記ボス部と前記底板部と前記プラスチック成型部品とを連結する複数の板形状の第１の補強部を設け、この第１補強部と前記プラスチック成型部品と前記脚部と前記底板部と前記ボス部とを一体で成型したことを特徴とする。
【発明の効果】
【０００８】
本発明によれば、プラスチック成型部品と、このプラスチック成型部品の内面側に設けた固定部とからなり、この固定部は、前記プラスチック成型部品の内面から前記プラスチック成型部品の内面に対して垂直方向に伸びた筒形状の脚部と、この脚部の先端の開口を塞ぐ底板部と、この底板部から前記プラスチック成型部品の内面に対して垂直方向に伸びるねじ穴を有するボス部とからなり、前記脚部の一方側の筒面には開口を有し、前記脚部の他方側の筒面側には、前記脚部と前記ボス部と前記底板部と前記プラスチック成型部品とを連結する複数の板形状の第１の補強部を設け、この第１補強部と前記プラスチック成型部品と前記脚部と前記底板部と前記ボス部とを一体で成型したことを特徴とする。
【０００９】
このように、脚部の一方側の筒面には開口を有し、脚部の他方側の筒面側には、脚部とボス部と底板部とプラスチック成型部品とを連結する複数の板形状の第１の補強部を設け、この第１の補強部とプラスチック成型部品と脚部と底板部とボス部とを一体で成型しているので、脚部の板厚をプラスチック成型部品の外面にひけが発生しない程度に小さくしても、板形状の第１の補強部により固定部の強度を向上させことができる。
【００１０】
結果として、プラスチック成型部品の外面にひけを発生させることなく、固定部の強度を向上させることができる。
【図面の簡単な説明】
【００１１】
【図１】本発明の実施の形態１の加湿装置をケース前面側から見た斜視図
【図２】同加湿装置をケース背面側から見た斜視図
【図３】同加湿装置の縦断面図
【図４】同加湿装置の送風側天面の内面と本体ケース内を示す斜視図
【図５】同加湿装置の送風側天面の内面を示した斜視図
【発明を実施するための形態】
【００１２】
以下、本発明の実施の形態について、図を用いて説明する。
【００１３】
図１は、本発明の実施の形態１の加湿装置をケース前面側から見た斜視図である。
【００１４】
本実施の形態による加湿装置は、幅寸法Ｗが奥行き寸法Ｌより大きな本体ケース１で覆われている。本体ケース１は、ケース前面１ａ、他方側のケース側面１ｂ、ケース背面１ｃ、及び一方側のケース側面１ｄによって側面が覆われている。また本体ケース１の天面は、他方側の空間上部を覆う天面パネルである送風側天面１ｅと、一方側の空間上部を覆うタンク側天面１ｆとで覆われ、天面外形は、平面視で長円形状としている。
【００１５】
送風側天面１ｅには、吹出口１０を形成している。吹出口１０は、タンク側天面１ｆと接する外縁以外の送風側天面１ｅの外縁に沿って、Ｕ字状に設けている。
【００１６】
図２は、同加湿装置をケース背面側から見た斜視図である。同加湿装置は、ケース背面１ｃの全幅にわたって吸込口１７を設けている。吸込口１７は、上下方向に上部吸込口１５と下部吸込口１６とに２分割されている。
【００１７】
図３は、同加湿装置の縦断面図である。同加湿装置は、本体ケース１の内部に、送風手段８と、貯水する貯水容器１１と、貯水容器１１から吸水する加湿フィルター１２と、貯水容器１１に水を供給する給水タンク１３とを備えている。
【００１８】
送風手段８は、本体ケース１の他方側の空間ａに配置している。給水タンク１３は、本体ケース１の一方側の空間ｂに配置している。一方側の空間ｂは、給水タンク１３の収納空間を形成している。
【００１９】
送風手段８は、ファン吸気口８ａを構成する筒状部材８ｂと、複数の遠心ファン８ｃを立設する回転体８ｄと、モータ部８ｅとから構成される。筒状部材８ｂは遠心ファン８ｃと接合されている。従って、モータ部８ｅの駆動によって、筒状部材８ｂは回転体８ｄとともに回転する。
【００２０】
送風手段８は、ファン吸気口８ａを下方としてモータ部８ｅを送風側天面１ｅの下面に取り付けている。モータ部８ｅは、送風側天面１ｅの中央に配置し、図１及び図２に示す吹出口１０は、平面視でモータ部８ｅの配設位置以外となる送風側天面１ｅに配置している。
【００２１】
送風手段８の下方には、導風筒９を設けている。導風筒９は、加湿空気をファン吸気口８ａに導く中央連通口２を形成している。中央連通口２の外周には仕切部３が形成されている。
【００２２】
導風筒９は、円弧状の外周面を備えた筒状で、さらに、下方に向かうにしたがって広がる形状に形成され、送風手段８の下方の空間となる上方空間ｄに位置し、他方側の空間ａの水平面の中央部に位置している。
【００２３】
他方側の空間ａは、仕切部３によって下方空間ｃと上方空間ｄとに仕切られる。上方空間ｄは、導風筒９の外周部に形成される。なお、下部吸込口１６は下方空間ｃに臨んで開口し、上部吸込口１５は上方空間ｄに臨んで開口している。
【００２４】
本体ケース１の他方側の空間ａと、本体ケース１の一方側の空間ｂとの間には、内側板６が縦方向に配設されている。内側板６は、本体ケース１の天面から仕切部３の間に設けられている。従って、内側板６は、送風手段８の風路と一方側の空間ｂとを仕切っている。また、内側板６は、上方空間ｄと一方側の空間ｂとを仕切っている。なお、下方空間ｃと一方側の空間ｂとは連通している。
【００２５】
貯水容器１１は、他方側の空間ａ下部と一方側の空間ｂ下部に配置されている。貯水容器１１は、下方空間ｃの下部から給水タンク１３の収納空間となる一方側の空間ｂの下部にかけて、上方を開口し一定水位の水を貯水するトレーで構成されている。
【００２６】
下方空間ｃに位置する貯水容器１１には、上下方向に開口した枠状の加湿フィルター１２が、その下部を水に浸漬し上端部を中央連通口２の周囲に当接させて、載置されている。
【００２７】
一方側の空間ｂは、本体ケース１の天面に形成されたタンク側天面１ｆの下方に形成され、貯水容器１１に給水する給水タンク１３が収納される。給水タンク１３は、タンク側天面１ｆを開いて一方側の空間ｂに挿入され、配設された貯水容器１１の開口部に着脱自在に装着される。
【００２８】
貯水容器１１、加湿フィルター１２、及び給水タンク１３によって加湿手段１４が構成される。
【００２９】
加湿装置の動作について説明する。モータ部８ｅによって、遠心ファン８ｃが回転することによって、本体ケース１の吸込口１７から空気が吸い込まれ、加湿フィルター１２へ送風される。加湿フィルター１２は、給水タンク１３から貯水容器１１に供給された水を吸い上げているので、ここで送風された空気が加湿され、この加湿された空気が、吹出口１０から室内へ送風される。
【００３０】
本実施形態における特徴点は、送風側天面１ｅの本体ケース１への固定部の構造にある。
【００３１】
図４は、同加湿装置から送風側天面１ｅを外し、送風側天面１ｅの内面と、加湿装置の上面を示した斜視図である。図５は、同加湿装置から送風側天面１ｅを外し、送風側天面１ｅの内面を示した斜視図である。この固定部２０は、プラスチック成型部品である送風側天面１ｅの内面側に位置し、脚部２１と、底板部２２と、ボス部２３とからなる。
【００３２】
脚部２１は、送風側天面１ｅの内面から送風側天面１ｅの内面に対して垂直方向に伸びた筒形状である。この脚部２１の先端には、脚部２１の先端の開口を塞ぐ底板部２２を備えている。この底板部２２には、送風側天面１ｅの内面に対して垂直方向に伸びるねじ穴２４を有するボス部２３を設けている。このボス部２３と、本体ケース１に設けた本体側固定部２５とをねじによって固定することにより、送風側天面１ｅは、本体ケース１へ固定される。
【００３３】
脚部２１の一方側の筒面には開口２６を有し、脚部２１の他方側の筒面には、ボス部２３と脚部２１と底板部２２と送風側天面１ｅとを連結する複数の板形状の第１の補強部２７を設けている。これら送風側天面１ｅと、脚部２１とボス部２３と、複数の第１の補強部２７とを一体で樹脂成型している。なお、複数の第１の補強部２７の板厚は、送風側天面１ｅの板厚より小さいものである。底板部２２の厚みは、送風側天面１ｅの板厚より小さく、脚部２１の厚みより大きいものである。
【００３４】
このように、脚部２１の一方側の筒面には開口２６を有し、脚部２１の他方側の筒面側には、脚部２１とボス部２３と底板部２２と送風側天面１ｅとを連結する複数の板形状の第１の補強部２７を設け、この第１の補強部２７と送風側天面１ｅと脚部２１と底板部２２とボス部２３とを一体で成型しているので、脚部２１の板厚を送風側天面１ｅの外面にひけが発生しない程度に小さくしても、板形状の第１の補強部２７により固定部２０の強度を向上させことができる。結果として、プラスチック成型部品の外面にひけを発生させることなく、固定部の強度を向上させることができる。なお、ひけが発生しない程度とは、板厚を送風側天面１ｅの板厚の５０〜４０％の板厚が、第１の補強部２７の板厚となる。
【００３５】
また、本体ケース１における一方側の天面から着脱自在に給水タンク１３を設けるので、給水タンク１３の装着時に給水タンク１３が、送風側天面１ｅの一方側に衝突する場合がある。つまり、ボス部２３の先端側は、本体ケース１における一方側へ傾く方向に力がかかるものである。
【００３６】
このような場合に、特に、複数の第１の補強部２７と送風側天面１ｅとを連結する複数の第１の連結部２８に引っ張り応力が発生する。ここで、複数の第１の連結部２８によって、応力が分散し、強度を向上させことができると考えられる。なお、第１の補強部２７は、給水タンク１３の装着時に給水タンクを送風側天面１ｅの一方側に衝突させ、送風側天面１ｅが移動する方向に対して、平行である。
【００３７】
また、第１の補強部２７の他方側の複数の端部と、送風側天面１ｅとを連結する第２の補強部２９を設け、第１の補強部２７と第２の補強部２９と送風側天面１ｅと脚部２１と底板部２２とボス部２３とを一体で樹脂成型している。なお、第２の補強部２９の板厚は、送風側天面１ｅの板厚より小さいものである。第２の補強部２９の板厚は、第１の補強部２７の板厚と同じである。
【００３８】
これにより、ボス部２３の先端側に、本体ケース１における一方側へ傾く方向に力がかかる場合に、特に、複数の第１の補強部２７と送風側天面１ｅとを連結する複数の第１の連結部２８と、第２の補強部と送風側天面１ｅとを連結する第２の連結部３０とに引っ張り応力が発生する。ここで、複数の第１の連結部２８と、第２の連結部３０によって、応力が分散し、強度を向上させことができると考えられる。
【００３９】
また、第１の補強部２７と第２の補強部２９は、送風側天面１ｅにおける一方側が開口した水平断面がコ字形状である。なお、第２の補強部２９は、給水タンク１３の装着時に給水タンクを送風側天面１ｅの一方側に衝突させ、送風側天面１ｅが移動する方向に対して、垂直である。
【００４０】
これにより、ボス部２３の先端側に、本体ケース１における一方側へ傾く方向に力がかかる場合に、複数の第１の補強部２７と送風側天面１ｅとを連結する複数の第１の連結部２８と、第２の補強部２９と送風側天面１ｅとを連結する第２の連結部３０とに引っ張り応力が発生する。特に、ボス部２３から最も離れた第２の連結部３０には、最も大きな引っ張り応力が発生する。第２の連結部は、点ではなく所定の長さを有するので、第２の連結部３０によって、応力が分散し、強度を向上させることができると考えられる。
【００４１】
ここで、給水タンク１３の装着時に給水タンク１３を送風側天面１ｅの一方側に衝突させ、ボス部２３の先端側が本体ケース１における一方側へ傾く方向に力がかかり、固定部２０が破損するまでの衝撃をかけた場合について説明する。
【００４２】
まず、仮に、複数の第１の補強部２７と第２の補強部２９とが無い場合には、送風側天面１ｅと脚部２１との連結部が破損する。つまり、送風側天面１ｅから脚部２１と底板部２２とボス部２３とが一体ではずれるものである。これは、送風側天面１ｅと脚部２１との連結部の一部に応力が集中し、そこから破損し、結果として送風側天面１ｅから脚部２１と底板部２２とボス部２３とが一体ではずれるためであると考えられる。
【００４３】
一方、複数の第１の補強部２７と第２の補強部２９とを設けた場合には、送風側天面１ｅにおいて、複数の第１の連結部２８と、第２の連結部３０とに囲まれた部分が、本体ケース１における内方向への引っ張られ、複数の第１の連結部２８および第２の連結部３０に沿って、送風側天面１ｅ自身がコ字形状に亀裂が生じる。つまり、送風側天面１ｅの板厚より小さい板厚である複数の第１の補強部２７と第２の補強部２９、および複数の第１の連結部２８および第２の連結部３０が破損せず、複数の第１の補強部２７と第２の補強部２９の板厚より大きい板厚である送風側天面１ｅが破損するものである。結果として、第１の補強部２７と第２の補強部２９は、送風側天面１ｅにおける一方側が開口した水平断面がコ字形状することにより、第１の補強部２７および第２の補強部２９、および第１の連結部２８および第２の連結部３０自身にかかる応力を分散し、強度を向上させることができると考えられる。なお、第１の連結部２８と第２の連結部３０との送風側天面１ｅの内面方向の長さは、実質的に同じである。
【００４４】
送風側天面１ｅにおける他方側のボス部２３と脚部２１との外面は同一面であることを特徴とするものである。具体的には、ボス部２３は、円筒形状であり、脚部２１は、脚部の中心より一方側は、四角筒形状で、脚部２１の中心より他方側は、円筒形状である。ここで、他方側が円筒形状である脚部２１とボス部２３との外面は同一面で形成している。
【００４５】
これにより、ボス部２３の先端側に、本体ケース１における一方側へ傾く方向に力がかかる場合に、他方側のボス部２３と脚部２１との外面は同一面であるので、他方側に発生する応力が分散し、強度を向上させことができると考えられる。
【産業上の利用可能性】
【００４６】
本発明によれば、プラスチック成型部品と、このプラスチック成型部品の内面側に設けた固定部とからなり、この固定部は、前記プラスチック成型部品の内面から前記プラスチック成型部品の内面に対して垂直方向に伸びた筒形状の脚部と、この脚部の先端の開口を塞ぐ底板部と、この底板部から前記プラスチック成型部品の内面に対して垂直方向に伸びるねじ穴を有するボス部とからなり、前記脚部の一方側の筒面には開口を有し、前記脚部の他方側の筒面側には、前記脚部と前記ボス部と前記底板部と前記プラスチック成型部品とを連結する複数の板形状の第１の補強部を設け、この第１補強部と前記プラスチック成型部品と前記脚部と前記底板部と前記ボス部とを一体で成型したことを特徴とする。
【００４７】
このように、脚部の一方側の筒面には開口を有し、脚部の他方側の筒面側には、脚部とボス部と底板部とプラスチック成型部品とを連結する複数の板形状の第１の補強部を設け、この第１の補強部とプラスチック成型部品と脚部と底板部とボス部とを一体で成型しているので、脚部の板厚をプラスチック成型部品の外面にひけが発生しない程度に小さくしても、板形状の第１の補強部により固定部の強度を向上させことができる。
【００４８】
したがって、プラスチック成型部品を使用する家庭用電気製品、特に、加湿装置、加湿空気清浄装置等への活用が期待されるものである。
【符号の説明】
【００４９】
１      本体ケース
１ａ    ケース前面
１ｂ    他方側のケース側面
１ｃ    ケース背面
１ｄ    一方側のケース側面
１ｅ    送風側天面
１ｆ    タンク側天面
２      中央連通口
３      仕切部
６      内側板
８      送風手段
８ａ    ファン吸気口
８ｂ    筒状部材
８ｃ    遠心ファン
８ｄ    回転体
８ｅ    モータ部
９      導風筒
１０      吹出口
１１      貯水容器
１２      加湿フィルター
１３      給水タンク
１４      加湿手段
１５      上部吸込口
１６      下部吸込口
１７      吸込口
２０      固定部
２１      脚部
２２      底板部
２３      ボス部
２４      ねじ穴
２５      本体側固定部
２６      開口
２７      第１の補強部
２８      第１の連結部
２９      第２の補強部
３０      第２の連結部
ａ      他方側の空間
ｂ      一方側の空間
ｃ      下方空間
ｄ      上方空間
【図１】
2014046539.tif 000003
【図２】
2014046539.tif 000004
【図３】
2014046539.tif 000005
【図４】
2014046539.tif 000006
【図５】
2014046539.tif 000007